(57)【要約】【課題】比較的に簡素な構成でありながら給水源の圧力にかかわらず便器へ所望の洗浄水の流量を供給することができる洗浄給水装置を提供すること。【解決手段】給水源の圧力を利用して便器に洗浄水を供給する洗浄給水装置において、前記洗浄給水装置は給水源の圧力にかかわらず所定の圧力を得る圧力調整機構と、前記圧力調整機構の下流側に配置され開度調節が可能な流量調節機能付開閉弁と、前記流量調節機能付開閉弁の開弁時間および開度を制御する制御装置とを設ける。【選択図】　図１
2004076469.tif 000002
【特許請求の範囲】
【請求項１】
給水源の圧力を利用して便器に洗浄水を供給する洗浄給水装置において、前記洗浄給水装置は給水源の圧力にかかわらず所定の圧力を得る圧力調整機構と、前記圧力調整機構の下流側に配置され開度調節が可能な流量調節機能付開閉弁と、前記流量調節機能付開閉弁の開弁時間および開度を制御する制御装置とを備えたことを特徴とする洗浄給水装置。
【請求項２】
給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路と前記トラップ管路の夫々に開度調節が可能な流量調節機能付開閉弁と、前記流量調節機能付開閉弁の開弁時間および開度を制御する制御装置とを備えたことを特徴とする洗浄給水装置。
【請求項３】
給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路には開度調節が可能な流量調節機能付開閉弁と、前記トラップ管路には開度調節が不可能な開閉弁と、前記流量調節機能付開閉弁の開弁時間および開度と前記開閉弁の開弁時間とを制御する制御装置とを備えたことを特徴とする洗浄給水装置。
【請求項４】
給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路には開度調節が不可能な開閉弁と、前記トラップ管路には開度調節が可能な流量調節機能付開閉弁と、前記開閉弁の開弁時間と前記流量調節機能付開閉弁の開弁時間および開度とを制御する制御装置とを備えたことを特徴とする洗浄給水装置。
【請求項５】
給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側に配置され開度調節が可能な流量調節機能付開閉弁と、前記流量調節機能付開閉弁の下流側に配置され洗浄水の供給をボウルへ洗浄水を供給するボウル管路またはトラップ排水路へ洗浄水を供給するトラップ管路に切換える切換弁と、前記流量調節機能付開閉弁の開弁時間および開度と前記切換弁の切換え操作を制御する制御装置とを備えたことを特徴とする洗浄給水装置。
【請求項６】
前記切換弁は、ボウル管路からトラップ管路への切換過程またはトラップ管路からボウル管路への切換過程で、ボウル管路とトラップ管路のどちらか一方もしくは両方に洗浄水を供給する状態を維持することを特徴とする請求項５に記載の洗浄給水装置。
【請求項７】
前記圧力調整機構を給水源に接続された止水栓と一体的に構成したことを特徴とする請求項１乃至６のいずれかに記載の洗浄給水装置。
【発明の詳細な説明】
【０００１】
【発明の属する技術分野】
本発明は、給水源の圧力を利用して便器に洗浄水を供給する洗浄給水装置に関する。
【０００２】
【従来の技術】
従来、この種の洗浄給水装置として特開２００１−１３２０３８号公報に開示されているものは、便器へ洗浄水を供給または停止させるとともに開度調節が可能な開閉弁と、開閉弁の開度を制御するカムと、カムを回転駆動するモータと、モータの回転角を制御する制御装置とを備えており、便器に供給される洗浄水の流量の調節は、開閉弁の開度が所望の開度になるようにモータによってカムを所定の角度だけ回転駆動させることによって行う。
また、特許第２８４１５３６号公報に開示されているものは、給水源に接続された管路に流量計と開度調節が可能な流量調節弁と、流量調節弁の下流側をボウルへ洗浄水を供給するボウル管路とトラップ排水路へ洗浄水を供給するトラップ管路に分岐させ、ボウル管路とトラップ管路の夫々に開閉弁と、流量調節弁の開度および開閉弁の開弁時間を制御する制御装置とを備えており、便器に供給される洗浄水の流量の調節は、流量計にて測定された流量が予め決定された流量となるように流量調節弁の開度を制御することによって行う。
【０００３】
【発明が解決しようとする課題】
しかしながら、特開２００１−１３２０３８号公報に開示されている洗浄給水装置では、例えば便器の洗浄と並行して洗面所や台所などで水が使用されるなどして給水源の圧力が変動した場合に、開閉弁の開度のみを制御するため、図７に示す如く便器へ供給される洗浄水の流量も変動する。その結果、便器を洗浄する場合には洗浄不良、洗浄給水装置の凍結防止のために少量の洗浄水を供給する場合には洗浄水の凍結を招く恐れがある。
一方、特許第２８４１５３６号公報に開示されている洗浄給水装置では、流量計や開閉弁とは別に流量調節弁を用いるため、構成が複雑になるとともに洗浄給水装置自体が大型化せざるを得ない。
【０００４】
そこで、本発明の目的は、比較的に簡素な構成でありながら給水源の圧力にかかわらず便器へ所望の洗浄水の流量を供給することができる洗浄給水装置を提供することにある。
【０００５】
【課題を解決するための手段およびその作用・効果】
上記課題を解決するために、請求項１に記載の発明は、給水源の圧力を利用して便器に洗浄水を供給する洗浄給水装置において、前記洗浄給水装置は給水源の圧力にかかわらず所定の圧力を得る圧力調整機構と、前記圧力調整機構の下流側に配置され開度調節が可能な流量調節機能付開閉弁と、前記流量調節機能付開閉弁の開弁時間および開度を制御する制御装置とを備えたことを特徴とする。
そうすることにより、給水源の圧力が変動しても流量調節機能付開閉弁に流入する洗浄水は圧力調整機構により所定の圧力に調整されているため、流量計などを用いず比較的に簡素な構成でありながら、便器へ所望の洗浄水の流量を供給することができ洗浄不良を防止することが可能となる。また、洗浄給水装置の凍結防止のために少量の洗浄水を供給する場合、給水源の圧力が変動しても確実に所定水量の供給がなされるので洗浄水の凍結を防止することが可能となる。
【０００６】
請求項２に記載の発明は、給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路と前記トラップ管路の夫々に開度調節が可能な流量調節機能付開閉弁と、前記流量調節機能付開閉弁の開弁時間および開度を制御する制御装置とを備えたことを特徴とする。
そうすることにより、ボウルおよびトラップ排水路に供給される洗浄水の流量を夫々の最適流量に設定することができるので、便器の洗浄性能を維持しつつ洗浄水を節水することも可能となる。
【０００７】
請求項３に記載の発明は、給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路には開度調節が可能な流量調節機能付開閉弁と、前記トラップ管路には開度調節が不可能な開閉弁と、前記流量調節機能付開閉弁の開弁時間および開度と前記開閉弁の開弁時間とを制御する制御装置とを備えたことを特徴とする。
そうすることにより、ボウルへ供給される洗浄水の流量を適量にすることができるので、洗浄水の節水やボウル外への洗浄水の飛出しを防止することが可能となる。さらに、ボウルへ供給される洗浄水の流量を供給開始から徐々に増加させてボウル管路に溜まった空気を比較的に少ない流量の洗浄水とともに排出することが可能となる。それにより比較的に多い流量の洗浄水に空気が巻込まれることによって発生する洗浄水の吐水時の騒音を低下させることが可能となる。
【０００８】
請求項４に記載の発明は、給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側をボウルへ洗浄水を供給するボウル管路とトラップ排水路へ洗浄水を供給するトラップ管路に分岐させ、前記ボウル管路には開度調節が不可能な開閉弁と、前記トラップ管路には開度調節が可能な流量調節機能付開閉弁と、前記開閉弁の開弁時間と前記流量調節機能付開閉弁の開弁時間および開度とを制御する制御装置とを備えたことを特徴とする。
そうすることにより、凍結防止のために連続的または断続的に洗浄水を供給する場合に、トラップ排水路のみへ少量の洗浄水を供給することで給水時の音を静かにすることが可能となる。さらに、トラップ排水路へ供給される洗浄水の流量を供給開始から徐々に増加させてトラップ管路に溜まった空気を比較的に少ない流量の洗浄水とともに排出することが可能となる。それによりサイホン作用を誘発させるためにトラップ排水路へ洗浄水を噴出する際には洗浄水のエネルギーを有効に活用でき、サイホン作用を効率的に発生させることも可能となる。
【０００９】
請求項５に記載の発明は、給水源の圧力を利用して便器のボウルおよびトラップ排水路の夫々に洗浄水を供給する洗浄給水装置において、前記洗浄給水装置は給水源の圧力にかかわらず所定の圧力を得る圧力調整機構と、前記圧力調整機構の下流側に配置され開度調節が可能な流量調節機能付開閉弁と、前記流量調節機能付開閉弁の下流側に配置され洗浄水の供給をボウルへ洗浄水を供給するボウル管路またはトラップ排水路へ洗浄水を供給するトラップ管路に切換える切換弁と、前記流量調節機能付開閉弁の開弁時間および開度と前記切換弁の切換え操作を制御する制御装置とを備えたことを特徴とする。
そうすることにより、ボウルおよびトラップ排水路に供給される洗浄水の流量を夫々の最適流量に設定することができるので、便器の洗浄性能を維持しつつ洗浄水を節水することも可能となる。
【００１０】
本発明の好ましい態様として、請求項６に記載の発明は、前記切換弁は、ボウル管路からトラップ管路への切換過程またはトラップ管路からボウル管路への切換過程で、ボウル管路とトラップ管路のどちらか一方もしくは両方に洗浄水を供給する状態を維持することを特徴とする。
そうすることにより、ボウル管路からトラップ管路への切換過程またはトラップ管路からボウル管路への切換過程において切替弁が閉状態とならないので、水撃現象の発生を抑制することが可能となる。また、ボウル管路とトラップ管路の両方に洗浄水が供給される状態で前記切換弁の切換えを停止させて洗浄水を連続的または断続的に供給することで、ボウル管路とトラップ管路の両方の凍結防止が可能となる。
【００１１】
本発明の好ましい態様として、請求項７に記載の発明は、前記圧力調整機構を給水源に接続された止水栓と一体的に構成したことを特徴とする。
そうすることにより、洗浄給水装置を便器に載置する場合には、圧力調整機構を除いた流量調節機能付開閉弁および／または開閉弁と制御装置などを載置すればよくなるため、便器の小型化が可能となる。
【００１２】
【発明の実施の形態】
以下、本発明の第一の実施例を図面に基づいて説明する。図１は第一の実施例にかかる給水洗浄装置を備えた便器の側断面図である。
図１において、便器１０は陶器製の水洗式大便器であり、後方上部には便器１０に洗浄水を供給するための洗浄給水装置２０が取付けられており、洗浄給水装置２０はカバー３０によって保護されている。便器１０はいわゆるサイホンゼット式便器であり、ボウル１１の上部に周設されボウル１１へ洗浄水を導く導水路１２と、導水路１２へ洗浄水を吐水するリム用ノズル１３と、ボウル１１内の洗浄水や汚物をトイレの床面に配設された図示しない排水管へ排出するためのトラップ排水路１４と、トラップ排水路へ洗浄水を噴出するジェット用ノズル１５とを備えている。
【００１３】
洗浄給水装置２０は、上流側が壁面に配設された図示しない給水源に接続された止水栓４０に一体的に形成され、給水源の圧力にかかわらず所定の圧力を得るための減圧弁２３と、減圧弁２３に連結されるとともに下流側が２つに分岐され、分岐された一方であってリム用ノズル１３に連結されたリム用給水管２１Ｒと、分岐された他方であってジェット用ノズル１５に連結されたジェット用給水管２１Ｊとを備えた分岐管２１と、リム用給水管２１Ｒの途中に配置されリム用ノズル１３へ洗浄水を供給または停止する開度調節が可能なリム用流量調節機能付開閉弁２２Ｒと、リム用流量調節機能付開閉弁２２Ｒの下流側に配置され、リム用流量調節機能付開閉弁２２Ｒが閉弁してリム用ノズル１３への洗浄水の供給を停止している場合にリム用流量調節機能付開閉弁２２Ｒよりも下流側の圧力を大気に開放するリム用大気開放弁２４Ｒと、ジェット用給水管２１Ｊの途中に配置されジェット用ノズル１５へ洗浄水を供給または停止する開度調節が可能なジェット用流量調節機能付開閉弁２２Ｊと、ジェット用流量調節機能付開閉弁２２Ｊの下流側に配置され、ジェット用流量調節機能付開閉弁２２Ｊが閉弁している場合にジェット用流量調節機能付開閉弁２２Ｊよりも下流側の圧力を大気に開放するジェット用大気開放弁２４Ｊと、使用者により洗浄の指令が入力される洗浄ボタン２６Ａと凍結防止運転の指令が入力される凍結防止運転ボタン２６Ｂとを備えた操作スイッチ２６と、操作スイッチ２６への入力に基づきリム用流量調節機能付開閉弁２２Ｒおよびジェット用流量調節機能付開閉弁２２Ｊの開閉と開度を制御する制御装置２７とを備えている。
【００１４】
リム用ノズル１３およびジェット用ノズル１５から供給される洗浄水の流量は、減圧弁２３の下流側にリム用流量調節機能付開閉弁２２Ｒとジェット用流量調節機能付開閉弁２２Ｊが設けられているため、給水源の圧力が変動しても減圧弁２３によって所定の圧力に減圧されているので、リム用流量調節機能付開閉弁２２Ｒとジェット用流量調節機能付開閉弁２２Ｊの夫々の開度のみに依存するとともに、その変動は開度が一定であれば極めて小さい。よって、制御装置２７によりリム用流量調節機能付開閉弁２２Ｒおよびジェット用流量調節機能付開閉弁２２Ｊの夫々の開度を制御することで、所望の流量および流量特性を得ることが可能となる。
尚、リム用流量調節機能付開閉弁２２Ｒおよびジェット用流量調節機能付開閉弁２２Ｊは、ステッピングモータ等を用いた開度調節が可能な電磁開閉弁であるが、洗浄水の流路の開閉および開度調節が可能な機構であればこの他であってもよい。また、給水源の圧力にかかわらず所定の圧力を得る圧力調整機構であれば、減圧弁２３でなくともよい。
【００１５】
続いて、第一の実施例における洗浄動作について説明する。
使用者により洗浄ボタン２６Ａが押されると、制御装置２７はリム用流量調節機能付開閉弁２２Ｒのみを所定の開度となるまで徐々に開弁させた後、その開度を所定時間保持させて、図４に示される流量特性の前リム洗浄を行う。リム用流量調節機能付開閉弁２２Ｒが開弁されると、止水栓４０および減圧弁２３を通過した後、リム用流量調節機能付開閉弁２２Ｒによって止水されていた洗浄水は、リム用大気開放弁２４Ｒを経由してリム用ノズル１３から導水路１２へ吐水され、ボウル１１を洗浄しながら流下してトラップ排水路１４へ流れ込む。この時、リム用流量調節機能付開閉弁２２Ｒを徐々に開弁させることで、リム用ノズル１３から吐水される洗浄水の流量を供給開始から徐々にボウル１１全体に洗浄水が行き渡る所定の流量まで増加させる。そうすることにより、リム用給水管２１Ｒに溜まった空気を比較的に少ない流量の洗浄水とともにリム用ノズル１３から排出できるので、比較的に多い流量の洗浄水に空気が巻込まれることによって発生する洗浄水の吐水時の騒音を低下させることが可能となる。
【００１６】
制御装置２７はリム用流量調節機能付開閉弁２２Ｒのみを所定時間開弁させた後、ジェット用流量調節機能付開閉弁２２Ｊのみを所定の開度となるまで徐々に開弁し、その開度を所定時間保持させて、図４に示される流量特性のジェット洗浄を行う。ジェット用流量調節機能付開閉弁２２Ｊが開弁されると、止水栓４０および減圧弁２３を通過した後、ジェット用流量調節機能付開閉弁２２Ｊによって止水されていた洗浄水は、ジェット用大気開放弁２４Ｊを経由してジェット用ノズル１５からトラップ排水路１４へ噴出され、トラップ排水路１４を満水にしてサイホン作用を誘発させ、ボウル１１内に貯溜された洗浄水や汚物を排出する。この時、ジェット用流量調節機能付開閉弁２２Ｊを徐々に開弁させることで、ジェット用給水管２１Ｊに溜まった空気を比較的に少ない流量の洗浄水とともにジェット用ノズル１５から排出できるため、所定の流量の洗浄水を噴出した際には洗浄水のエネルギーを有効に活用できるので、サイホン作用を効率的に発生させることが可能となる。
【００１７】
制御装置２７はジェット用流量調節機能付開閉弁２２Ｊのみを所定時間開弁させた後、リム用流量調節機能付開閉弁２２Ｒのみを所定の開度となるまで徐々に開弁し、その開度を所定時間保持させて、図４に示される流量特性の後リム洗浄を行う。リム用流量調節機能付開閉弁２２Ｒが開弁されると、止水栓４０および減圧弁２３を通過した後、リム用流量調節機能付開閉弁２２Ｒによって止水されていた洗浄水は、リム用大気開放弁２４Ｒを経由してリム用ノズル１３から導水路１２へ吐水され、ボウル１１に貯溜される。この時、前リム洗浄と同様に、リム用流量調節機能付開閉弁２２Ｒを徐々に開弁させることで、リム用給水管２１Ｒに溜まった空気を比較的に少ない流量の洗浄水とともにリム用ノズル１３から排出できるので、比較的に多い流量の洗浄水に空気が巻込まれることによって発生する洗浄水の吐水時の騒音を低下させることが可能となる。尚、後リム洗浄は、ボウル１１に洗浄水が貯溜される時間を予め予測しておき、その時間だけ、リム用流量調節機能付開閉弁２２Ｒを開弁することによって行われる。
【００１８】
上述の如く洗浄動作は、前リム洗浄によるボウル１１の洗浄、ジェット洗浄による汚物の排出、後リム洗浄によるボウル１１への洗浄水の貯溜といった一連の動作によって行われる。
【００１９】
続いて、第一の実施例における凍結防止運転について説明する。
使用者により凍結防止運転ボタン２６Ｂが押されると、制御装置２７はリム用流量調節機能付開閉弁２２Ｒとジェット用流量調節機能付開閉弁２２Ｊの両方を所定の開度だけ開弁させて少量の洗浄水を供給し、図５に示される流量特性の凍結防止運転を行う。この時に供給される洗浄水の流量は、給水源の圧力が変動しても減圧弁２３によって所定の圧力に減圧されているので、略一定となる。尚、凍結防止運転は使用者により凍結防止運転ボタン２６Ｂを再度押されるまで継続される。
【００２０】
次に、本発明の第二の実施例を図面に基づいて説明するが、ここでは第一の実施例と異なる部分についてのみ説明する。図２は第二の実施例にかかる給水洗浄装置を備えた便器の側断面図である。
【００２１】
第二の実施例の構成は、洗浄給水装置２０Ａのジェット用給水管２１Ｊの途中に開度調節が可能な流量調節機能付開閉弁ではなく開度調節が不可能なジェット用開閉弁２５Ｊを備える他は、第一の実施例と同じである。
【００２２】
続いて、第二の実施例における洗浄動作について説明する。
使用者により洗浄ボタン２６Ａが押されると、制御装置２７は、まずリム用流量調節機能付開閉弁２２Ｒのみを所定時間だけ開弁させて前リム洗浄を行い、続いてジェット用開閉弁２５Ｊのみを所定時間だけ開弁させてジェット洗浄を行い、最後にリム用流量調節機能付開閉弁２２Ｒのみを所定時間だけ開弁させて後リム洗浄を行って、一連の動作を完了させるが、前リム洗浄および後リム洗浄は第一の実施例と同じ洗浄動作であるため、ここではジェット洗浄についてのみ説明する。
【００２３】
制御装置２７は前リム洗浄の後、ジェット用開閉弁２５Ｊのみを開弁させてジェット洗浄を行うが、ジェット用開閉弁２５Ｊは開度調節が不可能なため図６に示される流量特性となる。ジェット用開閉弁２５Ｊが開弁されると、止水栓４０および減圧弁２３を通過した後、ジェット用開閉弁２５Ｊによって止水されていた洗浄水は、ジェット用大気開放弁２４Ｊを経由してジェット用ノズル１５からトラップ排水路１４へ噴出され、トラップ排水路１４を満水にしてサイホン作用を誘発させ、ボウル１１内に貯溜された洗浄水や汚物を排出する。この時、ジェット用給水管２１Ｊに溜まった空気が洗浄水に巻込まれるため、サイホン作用を効率的に発生させることができない。
【００２４】
続いて、第二の実施例における凍結防止運転について説明する。
使用者により凍結防止運転ボタン２６Ｂが押されると、制御装置２７はリム用流量調節機能付開閉弁２２Ｒのみを所定の開度だけ開弁させて少量の洗浄水を供給し、図５に示される流量特性の凍結防止運転を行う。この時に供給される洗浄水の流量は、給水源の圧力が変動しても減圧弁２３によって所定の圧力に減圧されているので、略一定となる。尚、凍結防止運転は使用者により凍結防止運転ボタン２６Ｂを再度押されるまで継続される。
【００２５】
次に、本発明の第三の実施例を図面に基づいて説明するが、ここでは第一の実施例と異なる部分についてのみ説明する。図３は第三の実施例にかかる給水洗浄装置を備えた便器の側断面図である。
【００２６】
第三の実施例の構成は、洗浄給水装置２０Ａのリム用給水管２１Ｒの途中に開度調節が可能な流量調節機能付開閉弁ではなく開度調節が不可能なリム用開閉弁２５Ｒを備える他は、第一の実施例と同じである。
【００２７】
続いて、第三の実施例における洗浄動作について説明する。
使用者により洗浄ボタン２６Ａが押されると、制御装置２７は、まずリム用開閉弁２５Ｒのみを所定時間だけ開弁させて前リム洗浄を行い、続いてジェット用流量調節機能付開閉弁２２Ｊのみを所定時間だけ開弁させてジェット洗浄を行い、最後にリム用開閉弁２５Ｒのみを所定時間だけ開弁させて後リム洗浄を行って、一連の動作を完了させるが、ジェット洗浄は第一の実施例と同じ洗浄動作であり、また後リム洗浄は前リム洗浄とほぼ同じ洗浄動作であることから、ここでは前リム洗浄についてのみ説明する。
【００２８】
制御装置２７は使用者により洗浄ボタン２６Ａが押されると、リム用開閉弁２５Ｒのみを開弁させてリム洗浄を行うが、リム用開閉弁２５Ｒは開度調節が不可能なため図６に示される流量特性となる。リム用開閉弁２５Ｒが開弁されると、止水栓４０および減圧弁２３を通過した後、リム用開閉弁２５Ｒによって止水されていた洗浄水は、リム用大気開放弁２４Ｒを経由してリム用ノズル１３から導水路１２へ吐水され、ボウル１１を洗浄しながら流下してトラップ排水路１４へ流れ込む。この時、リム用給水管２１Ｒに溜まった空気が洗浄水に巻込まれるため、洗浄水の吐水時に騒音が生じる。
【００２９】
続いて、第三の実施例における凍結防止運転について説明する。
使用者により凍結防止運転ボタン２６Ｂが押されると、制御装置２７はジェット用流量調節機能付開閉弁２２Ｊのみを所定の開度だけ開弁させて少量の洗浄水を供給し、図５に示される流量特性の凍結防止運転を行う。この時に供給される洗浄水の流量は、給水源の圧力が変動しても減圧弁２３によって所定の圧力に減圧されているので、略一定となる。尚、凍結防止運転は使用者により凍結防止運転ボタン２６Ｂを再度押されるまで継続される。
【００３０】
次に、本発明の第四の実施例を図面に基づいて説明する。図８は第四の実施例にかかる給水洗浄装置を備えた便器の側断面図である。
図８において、便器１０は陶器製の水洗式大便器であり、後方上部には便器１０に洗浄水を供給するための洗浄給水装置２０が取付けられており、洗浄給水装置２０はカバー３０によって保護されている。便器１０はいわゆるサイホンゼット式便器であり、ボウル１１の上部に周設されボウル１１へ洗浄水を導く導水路１２と、導水路１２へ洗浄水を吐水するリム用ノズル１３と、ボウル１１内の洗浄水や汚物をトイレの床面に配設された図示しない排水管へ排出するためのトラップ排水路１４と、トラップ排水路へ洗浄水を噴出するジェット用ノズル１５とを備えている。
【００３１】
洗浄給水装置２０は、上流側が壁面に配設された図示しない給水源に接続された止水栓４０に一体的に形成され、給水源の圧力にかかわらず所定の圧力を得るための減圧弁２３と、減圧弁２３の下流側に配置され洗浄水を供給または停止する開度調節が可能な流量調節機能付開閉弁２２と、流量調節機能付開閉弁２２の下流側に配置され洗浄水の供給をリム用ノズル１３に連結されたリム用給水管２１Ｒまたはジェット用ノズル１５に連結されたジェット用給水管２１Ｊに切換える切換弁２８と、減圧弁２３から流量調節機能付開閉弁２２を経由して切換弁２８とを連結する連結管２１Ｓと、リム用給水管２１Ｒの途中に配置されリム用ノズル１３への洗浄水の供給が停止している場合に切換弁２８よりも下流側の圧力を大気に開放するリム用大気開放弁２４Ｒと、ジェット用給水管２１Ｊの途中に配置されジェット用ノズル１５への洗浄水の供給が停止している場合に切替弁２８よりも下流側の圧力を大気に開放するジェット用大気開放弁２４Ｊと、使用者により洗浄の指令が入力される洗浄ボタン２６Ａと凍結防止運転の指令が入力される凍結防止運転ボタン２６Ｂとを備えた操作スイッチ２６と、操作スイッチ２６への入力に基づき流量調節機能付開閉弁２２の開閉と開度および切換弁２８の切換えを制御する制御装置２７とを備えている。
【００３２】
図９は切換弁２８のリム用給水管２１Ｒ側開状態を示し、図１０は切換弁のジェット用給水管２１Ｊ側開状態を示し、図１１は切換弁２８の両給水管２１Ｒ、２１Ｊ側開状態を示す。図９乃至図１１に示される如く、切換弁２８は、洗浄水が流入する分岐管２１と洗浄水が流出するリム用給水管２１Ｒおよびジェット用給水管２１Ｊを備えたケーシング２８Ｃと、ケーシング２８Ｃ内に収納され分岐管２１から流入した洗浄水をリム用給水管２１Ｒとジェット用給水管２１Ｊのどちらか一方もしくは両方に流出させるコマ２８Ｋと、コマ２８Ｋを切換え駆動する図示しないモータとを備えている。
【００３３】
リム用ノズル１３およびジェット用ノズル１５から供給される洗浄水の流量は、減圧弁２３の下流側に流量調節機能付開閉弁２２が設けられているため、給水源の圧力が変動しても減圧弁２３によって所定の圧力に減圧されているので、流量調節機能付開閉弁２２の開度のみに依存するとともに、その変動は開度が一定であれば極めて小さい。よって、制御装置２７により流量調節機能付開閉弁２２の開度を制御することで、所望の流量および流量特性を得ることが可能となる。尚、流量調節機能付開閉弁２２は、ステッピングモータ等を用いた開度調節が可能な電磁開閉弁であるが、洗浄水の流路の開閉および開度調節が可能な機構であればこの他であってもよい。また、給水源の圧力にかかわらず所定の圧力を得る圧力調整機構であれば減圧弁２３以外のものでもよく、切換弁２８の構造も例えば特開２００１−２６９６１号公報に開示される如く複数の開閉弁をカムを介してモータによって開閉駆動する構造でもよい。また、流量調節機能付開閉弁２２と切換弁２８、更にはリム用大気開放弁２４Ｒやジェット用大気開放弁２４Ｊを一体的に接続し、ユニット化してもよい。
【００３４】
続いて、第四の実施例における洗浄動作について説明する。
使用者により洗浄ボタン２６Ａが押されると、制御装置２７はコマ２８Ｋを駆動制御して切換弁２８を図９に示すようにリム用給水管２１Ｒ側を開状態にするとともに流量調節機能付開閉弁２２を所定の開度となるまで徐々に開弁させた後、その開度を所定時間保持させて図４に示される流量特性の前リム洗浄を行う。流量調節機能付開閉弁２２が開弁されると、止水栓４０および減圧弁２３を通過した後、流量調節機能付開閉弁２２によって止水されていた洗浄水は、切換弁２８およびリム用大気開放弁２４Ｒを経由してリム用ノズル１３から導水路１２へ吐水され、ボウル１１を洗浄しながら流下してトラップ排水路１４へ流れ込む。この時、流量調節機能付開閉弁２２を徐々に開弁させることで、リム用ノズル１３から吐水される洗浄水の流量を供給開始から徐々にボウル１１全体に洗浄水が行き渡る所定の流量まで増加させる。そうすることにより、リム用給水管２１Ｒに溜まった空気を比較的に少ない流量の洗浄水とともにリム用ノズル１３から排出できるので、比較的に多い流量の洗浄水に空気が巻込まれることによって発生する洗浄水の吐水時の騒音を低下させることが可能となる。
【００３５】
次に、制御装置２７は流量調節機能付開閉弁２２を所定の開度に保持しつつ、コマ２８Ｋを駆動制御して切換弁２８を図１１に示すように給水管２１Ｒ、２１Ｊの両側が開となる状態を経由して、図１０に示すようにジェット用給水管２１Ｊ側のみが開となる状態に切換えてジェット洗浄を行う。切換弁２８がジェット用給水管２１Ｊ側開状態に切換えられると、リム用給水管２１Ｒに供給されていた洗浄水は、ジェット用大気開放弁２４Ｊを経由してジェット用ノズル１５からトラップ排水路１４へ噴出され、トラップ排水路１４を満水にしてサイホン作用を誘発させ、ボウル１１内に貯溜された洗浄水や汚物を排出する。この時、切換弁２８はリム用給水管２１Ｒ側開状態からジェット用給水管２１Ｊ側開状態に切換わる過程で給水管２１Ｒ、２１Ｊの両側が開となる状態を経由するため、ジェット用給水管２１Ｊに溜まった空気を比較的に少ない流量の洗浄水とともにジェット用ノズル１５から排出できるので、完全にジェット用給水管２１Ｊ側開状態に切換わり所定の流量の洗浄水が噴出された際には洗浄水のエネルギーを有効に活用でき、サイホン作用を効率的に発生させることが可能になるとともに、洗浄水の供給が停止されないので、水撃現象の発生を抑制することが可能となる。
【００３６】
最後に、制御装置２７は流量調節機能付開閉弁２２を所定の開度に保持しつつ、コマ２８Ｋを駆動制御して切換弁２８を図１１に示す給水管２１Ｒ、２１Ｊの両側が開となる状態を経由して図９に示すリム用給水管２１Ｒ側開状態に切換えて後リム洗浄を行う。切換弁２８がリム用給水管２１Ｒ側開状態に切換えられると、ジェット用給水管２１Ｊに供給されていた洗浄水は、リム用大気開放弁２４Ｒを経由してリム用ノズル１３から導水路１２へ吐水され、ボウル１１に貯溜される。この時、切換弁２８はジェット用給水管２１Ｊ側開状態からリム用給水管２１Ｒ側開状態に切換わる過程で給水管２１Ｒ、２１Ｊの両側が開となる状態を経由するため、リム用給水管２１Ｒに溜まった空気を比較的に少ない流量の洗浄水とともにリム用ノズル１３から排出できるので、比較的に多い流量の洗浄水に空気が巻込まれることによって発生する洗浄水の吐水時の騒音を低下させることが可能になるとともに、洗浄水の供給が停止されないので、水撃現象の発生を抑制することが可能となる。尚、後リム洗浄は、ボウル１１に洗浄水が貯溜される時間を予め予測しておき、その時間だけ、流量調節機能付開閉弁２２を開弁することによって行われる。
【００３７】
上述の如く洗浄動作は、前リム洗浄によるボウル１１の洗浄、ジェット洗浄による汚物の排出、後リム洗浄によるボウル１１への洗浄水の貯溜といった一連の動作によって行われる。
【００３８】
続いて、第四の実施例における凍結防止運転について説明する。
使用者により凍結防止運転ボタン２６Ｂが押されると、制御装置２７はコマ２８Ｋを駆動制御して切換弁２８を図１１に示すように両給水管２１Ｒ、２１Ｊの両側が開となる状態にするとともに流量調節機能付開閉弁２２を所定の開度となるまで徐々に開弁させてリム用給水管２１Ｒとジェット用給水管２１Ｊの両方に少量の洗浄水を供給し、図５に示される流量特性の凍結防止運転を行う。この時に供給される洗浄水の流量は、給水源の圧力が変動しても減圧弁２３によって所定の圧力に減圧されているので、略一定となる。尚、凍結防止運転は使用者により凍結防止運転ボタン２６Ｂを再度押されるまで継続される。
【図面の簡単な説明】
【図１】第一の実施例にかかる給水洗浄装置を備えた便器の側断面図。
【図２】第二の実施例にかかる給水洗浄装置を備えた便器の側断面図。
【図３】第三の実施例にかかる給水洗浄装置を備えた便器の側断面図。
【図４】開度調節が可能な流量調節機能付開閉弁を用いた場合の流量特性図。
【図５】凍結防止運転の場合の流量特性図。
【図６】開度調節が不可能な開閉弁を用いた場合の流量特性図。
【図７】従来の洗浄給水装置の流量特性図。
【図８】第四の実施例にかかる給水洗浄装置を備えた便器の側断面図。
【図９】切換弁のリム用給水管側が開の状態図。
【図１０】切換弁のジェット用給水管側が開の状態図。
【図１１】切換弁の両給水管側が開の状態図。
【符号の説明】
１０…便器
１１…ボウル
１２…導水路
１３…リム用ノズル
１４…トラップ排水路
１５…ジェット用ノズル
２０、２０Ａ、２０Ｂ…洗浄給水装置
２１…分岐管
２１Ｒ…リム用給水管
２１Ｊ…ジェット用給水管
２１Ｓ…連結管
２２…流量調節機能付開閉弁
２２Ｒ…リム用流量調節機能付開閉弁
２２Ｊ…ジェット用流量調節機能付開閉弁
２３…減圧弁
２４Ｒ…リム用大気開放弁
２４Ｊ…ジェット用大気開放弁
２５Ｒ…リム用開閉弁
２５Ｊ…ジェット用開閉弁
２６…操作スイッチ
２６Ａ…洗浄ボタン
２６Ｂ…凍結防止運転ボタン
２７…制御装置
２８…切換弁
２８Ｃ…ケーシング
２８Ｋ…コマ
３０…カバー
４０…止水栓
【図１】
2004076469.tif 000003
【図２】
2004076469.tif 000004
【図３】
2004076469.tif 000005
【図４】
2004076469.tif 000006
【図５】
2004076469.tif 000007
【図６】
2004076469.tif 000008
【図７】
2004076469.tif 000009
【図８】
2004076469.tif 000010
【図９】
2004076469.tif 000011
【図１０】
2004076469.tif 000012
【図１１】
2004076469.tif 000013